(57)【要約】  【課題】知育効果の高い玩具等を提供すること。  【解決手段】空気を供給する供給手段と、供給手段によって供給された空気を蓄積する蓄積手段１１と、前記供給手段によって供給された空気若しくは蓄積手段１１に蓄積された空気を排出する排出手段を有する。玩具装置および対戦玩具は、右手で操作手段７ａを連続的に押圧し同時に左手で操作手段９ａを回転させるようになっている。当該操作により空気ポンプ１５ａが押圧されて空気を相手の玩具装置３ｂに送り、風船１１ｂを膨らませる。一方、対戦相手となる他の遊戯者も右手で操作手段７ｂを連続的に押圧し同時に左手で操作手段９ｂを回転させる。当該操作が行われ、操作手段７ｂによって空気ポンプ１５ｂが押圧されると、空気が相手の玩具装置３ａに送られて玩具装置３ａの風船１１ａが膨む。このように、お互いが操作手段７を操作することで風船１１が膨み操作手段９の操作によって膨張を防ぐようになっている。【選択図】図１
2005318959.tif 000002
【特許請求の範囲】
【請求項１】
空気を供給する供給手段と、当該供給手段によって供給された空気を蓄積する蓄積手段と、前記供給手段によって供給された空気若しくは蓄積手段に蓄積された空気を排出する排出手段を有したことを特徴とする玩具装置。
【請求項２】
前記蓄積手段は、蓄積した空気量に応じて外形が変化する風船であることを特徴とする請求項１記載の玩具装置。
【請求項３】
前記蓄積手段は、蓄積した空気量の変動を視覚的に表す視覚表示手段であることを特徴とする請求項１記載の玩具装置。
【請求項４】
空気を供給する供給手段と、当該供給手段によって供給された空気を蓄積する蓄積手段をそれぞれ有した第１および第２の玩具装置を備え、
前記第１の玩具装置は、前記第２の玩具装置が有する前記供給手段によって供給された空気若しくは蓄積手段に蓄積された空気を排出する排出手段を有し、
前記第２の玩具装置は、前記第１の玩具装置が有する前記供給手段によって供給された空気若しくは蓄積手段に蓄積された空気を排出する排出手段を有することを特徴とする対戦玩具。
【請求項５】
前記蓄積手段は、蓄積した空気量に応じて外形が変化する風船であることを特徴とする請求項４記載の対戦装置。
【請求項６】
前記蓄積手段は、蓄積した空気量の変動を視覚的に表す視覚表示手段であることを特徴とする請求項４記載の対戦玩具。
【請求項７】
操作回数、操作速度、操作強度等の量的情報を入力する供給手段と、当該供給手段によって入力された前記量的情報を蓄積若しくは加算的に記憶する蓄積手段と、当該蓄積手段に蓄積若しくは加算的に記憶された前記量的情報を減少若しくは減算するように作用する排出手段を有し、前記供給手段と排出手段の操作に伴って変動する前記量的情報を視覚的に表示する表示手段を有したことを特徴とする玩具装置。
【発明の詳細な説明】
【技術分野】
【０００１】
本願発明は、玩具装置および対戦玩具に関し、特に、知育的要素を備えた玩具装置および対戦玩具に適したものである。
【背景技術】
【０００２】
従来、手作業を伴いボールの回転移動とオルゴールの演奏を同時に行うことにより低年齢の幼児の対応も可能として知育にも有効なオルゴール付き回転玩具が知られている（特許文献１）。当該回転玩具は、ボール保持部へ指先を使って入れることからその動作によって手先の器用さと集中力を高めることができ、ボールが投入されるとオルゴールを演奏し、同時に玩具本体も支持台上で回動してボールの回転移動を楽しむことができるように構成されたものである。
【特許文献１】特開平１１−５７２２８号公報
【発明の開示】
【発明が解決しようとする課題】
【０００３】
上記知育玩具は、所定の場所にボールを入れることにより、当該動作にともなってオルゴールを演奏しつつ所定の部位を回転させ、手による操作と当該操作に伴う演奏を幼児に体験させるようにしたものである。この知育玩具で幼児が行う操作は、ボールを入れるという一動作のみとなっている。このように、上記知育玩具をはじめ他の従来の知育玩具は、幼児に所定の一動作（入力）を行わせて、当該動作に伴ってある一定の結果を出力するものが一般的であった。
知育の手段としては、上記従来技術のように、入力と出力を対応づけて一定のパターンを覚えさせるものがある。すなわち、運動（ボールを入れる等の操作）と、当該運動に応じた情報の知覚（オルゴールの演奏や、玩具本体の回動）を体験させるものである。
本願発明は、上述した知育効果をさらに高めることができる知育効果の高い玩具等を提供することを課題とする。
【課題を解決するための手段】
【０００４】
上記課題を解決するために、本願請求項１記載の発明は下記の構成を有する。すなわち、
空気を供給する供給手段と、当該供給手段によって供給された空気を蓄積する蓄積手段と、前記供給手段によって供給された空気若しくは蓄積手段に蓄積された空気を排出する排出手段を有したことを特徴とする玩具装置。
【０００５】
また、本願請求項２記載の発明は下記の構成を有する。すなわち、
前記蓄積手段は、蓄積した空気量に応じて外形が変化する風船であることを特徴とする請求項１記載の玩具装置。
【０００６】
また、本願請求項３記載の発明は下記の構成を有する。すなわち、
前記蓄積手段は、蓄積した空気量の変動を視覚的に表す視覚表示手段であることを特徴とする請求項１記載の玩具装置。
【０００７】
また、本願請求項４記載の発明は下記の構成を有する。すなわち、
空気を供給する供給手段と、当該供給手段によって供給された空気を蓄積する蓄積手段をそれぞれ有した第１および第２の玩具装置を備え、
前記第１の玩具装置は、前記第２の玩具装置が有する前記供給手段によって供給された空気若しくは蓄積手段に蓄積された空気を排出する排出手段を有し、
前記第２の玩具装置は、前記第１の玩具装置が有する前記供給手段によって供給された空気若しくは蓄積手段に蓄積された空気を排出する排出手段を有することを特徴とする対戦玩具。
【０００８】
また、本願請求項５記載の発明は下記の構成を有する。すなわち、
前記蓄積手段は、蓄積した空気量に応じて外形が変化する風船であることを特徴とする請求項４記載の対戦装置。
【０００９】
また、本願請求項６記載の発明は下記の構成を有する。すなわち、
前記蓄積手段は、蓄積した空気量の変動を視覚的に表す視覚表示手段であることを特徴とする請求項４記載の対戦玩具。
【００１０】
また、本願請求項７記載の発明は下記の構成を有する。すなわち、
操作回数、操作速度、操作強度等の量的情報を入力する供給手段と、当該供給手段によって入力された前記量的情報を蓄積若しくは加算的に記憶する蓄積手段と、当該蓄積手段に蓄積若しくは加算的に記憶された前記量的情報を減少若しくは減算するように作用する排出手段を有し、前記供給手段と排出手段の操作に伴って変動する前記量的情報を視覚的に表示する表示手段を有したことを特徴とする玩具装置。
【発明の効果】
【００１１】
本願発明に係る玩具装置は、例えば右手で空気の供給操作を行わせ、左手で排出操作を同時に行わせるものであるため、右手と左手の双方をバランスよく操作しなければならないといった体験をさせることができる。このように、一つの操作によって一つの結果が生じるといった従来の知育玩具とは異なり、ある結果を達成したり状態を維持したりといった目的のために２つの操作を必要とするので、より高度な知育効果を達成することができる。また、視覚等により情報を知覚しながら、当該知覚情報に応じて出力（手の動作等の筋肉運動）をさせるようになっているので、意識せずに知覚と出力をくり返させることとなり、知育効果の高い遊びを行わせることが出来るという効果を有している。
また、本願発明に係る玩具装置を２台若しくは複数相互に接続して使用して対戦玩具を構成することにより、使用者に対して勝敗という緊張感を抱かせることにより当該玩具装置の操作に集中させることができ、より知育効果の高い遊びを提供することができるという効果を有している。
さらに、玩具装置に空気ポンプや風船を用いたもののみならず、当該要素を電気的な手段や他の代替手段を用いることにより、右手の操作と左手の操作の双方を要求する他の形態の玩具装置を提供することができるという効果を有する。
【発明を実施するための最良の形態】
【００１２】
以下、本願発明を実施するための最良の形態について説明する。
図１および図２において、１は本願発明に係る対戦玩具を表している。当該対戦玩具１は、略同一の構成を備えた二つの玩具装置３（３ａ、３ｂ）と、各玩具装置３ａ、３ｂを相互に連結する連結部材５（５ａ、５ｂ）を有している。以下、当該連結部材５ａ、５ｂを除き、符号に「ａ」を付したものは玩具装置３ａに設けられた各種構成部材を示すものとし、「ｂ」を付したものは玩具装置３ｂに設けられた各種構成部材を示すものとする。
【００１３】
本実施の形態における各玩具装置３ａ、３ｂは、幼児等の使用者が操作するように構成された２つの操作手段７（７ａ、７ｂ）、９（９ａ、９ｂ）と、蓄積手段の一例として風船１１（１１ａ、１１ｂ）および当該風船１１を収容する収容体１３（１３ａ、１３ｂ）とから構成されている。前記連結部材５（５ａ、５ｂ）は、空気を移動させる導管としての空気パイプとなっている。
操作手段７ａは、内蔵した空気ポンプ１５ａを作動させるものであり、操作手段７ａの
押圧操作を繰り返すことによって空気ポンプ１５ａより空気を送り出すようになっている。空気ポンプには、ピストンを用いた方式等種々の形態のものが使用可能であるが、本実施の形態では、常に拡張する方向に附勢された空気溜部１６を圧縮することにより空気を排出する方式のポンプを用いている。なお、排出された空気は空気溜部１６内に逆流しないように逆止弁（図示せず）が設けられている。操作手段７ａは、空気ポンプ１５ａの一部を押圧して空気溜部１６を圧縮し、空気ポンプ１５ａから空気を排出するように構成されたものである。本実施の形態においては、当該操作手段７ａおよび空気ポンプ１５ａによって空気を供給する供給手段となっている。
空気ポンプ１５ａの空気排出部は空気パイプである前記連結部材５ａの一端に接続され、当該連結部材５ａの他端は後述する他方の玩具装置３ｂが備える風船１１ｂおよび詳細には後述する排出手段９ｂに連結されている。すなわち、空気ポンプ１５ａの操作によって玩具装置３ｂの風船１１ｂに空気を送り、当該風船１１ｂを膨らませることができるようになっている。
【００１４】
風船１１ａは、中空体として形成された球形の収容体１３ａ内に収容されるようになっている。当該収容体１３ａ内の底面には、他方の玩具装置３ｂの空気ポンプ１５ｂに接続された空気パイプである前記連結部材５ｂと連通する装着部１２が設けられており、当該装着部１２に対して風船１１の空気吹込口２１が着脱可能に装着されるようになっている。また、収容体１３ａ内周壁の上方には、風船が膨らんだ際に接触するヤスリ２３が取り付けられている。当該ヤスリ２３は、膨らんだ風船を破るための破壊手段となっている。
当該構成により、玩具装置３ｂの空気ポンプ１５ｂを操作すると連結部材５ｂを介して空気が送られ、当該空気によって玩具装置３ａの収容体１３ａ内に装着された風船１１ａが膨らみ、風船１１ａが一定以上に膨らむと収容体１３ａの内周壁に取り付けられたヤスリ２３と接触して表皮が破かれ、風船１１ａが割れるようになっている。
収容体１３は、前述のように球形に形成された中空体であり、略２分割された半球状の下半体１６と上半体１７によって構成されている。下半体１６は玩具装置を構成する筐体に固定されており、当該下半体１６に対して上半体１７が着脱可能に取り付けられている。下半体１６内側底部には風船１１を装着する前記装着部１２が設けられており、当該装着部１２に風船１１を取り付けた後に下半体１６に対して上半体１７を取付けるようになっている。下半体１６と上半体１７は接合した状態で風船１１の膨張圧や破裂時の圧力によってははずれない程度の強度を有するロック手段（図示せず）によって、不用意に結合が解除されないようになっている。
【００１５】
図５（ａ）〜（ｃ）において、風船１１と収容体１３との関係を示す。図５（ａ）は、収容体１３内に装着された風船１１が、空気の供給により膨張を始めた状態を表している。図５（ｂ）は、収容体１３内に装着された風船１１が膨張し、上半体１７の内面に取り付けられたヤスリ２３と接触した状態を表している。図５（ｃ）は、風船１１がヤスリ２３との接触して破裂した状態を表している。
収容体１３は、ほぼ風船１１を覆うように構成されているので、使用者が破裂時の風船に接触することはなく、破裂時に発生する破裂音を小さくして必要以上に子供を驚かすことがないようになっている。
【００１６】
操作手段９ａは、内蔵した空気逃がし弁（以下「逃がし弁」）２５ａと係合して当該逃がし弁２５ａを動作させる回転式の操作杆となっている。当該操作手段９および逃がし弁２５によって排出手段を構成している。
操作手段９ａは回動自在に軸支された円板状の回転体２７ａを有しており、当該回転体の上面には使用者が把持出来る程度の摘み２９ａが設けられている。また、回転体２７ａの下面若しくは外周縁には小突起３１ａが設けられており、当該小突起３１ａは前記逃がし弁２５ａを支持する支持体３３ａと係合し、逃がし弁２５ａを動作させるようになっている。
逃がし弁２５ａは、風船１１ａに対して空気を供給する導管路３５ａの途中に設けられたものであり、風船１１ａに蓄積された空気若しくは玩具装置３ｂから送られてくる空気を大気に放出させるものである。逃がし弁２５ａは、導管路３５ａの内部と連通した小孔を設けた弁座３７ａと当該弁座３７ａに当接するゴム素材の弁体３９ａによって構成されている。弁体３９ａは、当該弁体３９ａを弁座３７ａに対して押しつける方向に附勢する支持体３３ａに取り付けられている。本実施の形態では、支持体３３ａは弾性を有する合成樹脂製の棒状体をＵ字形状に形成したものであり、当該棒状体の一方を固定しつつ他方を自由端として弾性的に撓むように構成したものである。弁体３９ａは、前記支持体３３ａの他方に固定されており、当該支持体３３ａの弾性によって弁座３７ａに押しつけられている。
【００１７】
支持体３３ａは前記小突起３１ａと係合するようになっており、小突起３１ａの係合によって一時的に撓み、弁体３９ａを弁座３７ａから離間させて前記小孔を開口させて一時的に空気を排出させるようになっている。すなわち、
操作手段９ａを把持して回転体２７ａを回転させると、小突起３１ａが弁体３９ａを設けた支持体３３ａと係合して一時的に弁体３９ａを弁座３７ａから離間させ、風船１１ａに蓄積された空気若しくは玩具装置３ｂから送られてくる空気を大気に放出させることができるようになっている。
なお、本実施の形態では、前記小突起３１ａは鋸刃のように進行方向に対して傾斜面を有し、後退方向に対して略直角面を有した形状になっている。また、当該小突起３１ａは、支持体３３ａに設けられた前記小突起３１ａよりも小さい小径のポスト３２と係合するようになっており、小突起３１ａの傾斜面がポスト３２に当接して支持体３３ａを撓ませる方向に移動可能であり、直角面がポストに当接した場合には支持体３３ａを撓ませることができずそれ以上移動できないようになっている。当該構造により、回転体２７ａは、一方向（図面上では時計回り方向）にのみ回転することができるようになっている。
【００１８】
また、前記逃がし弁２５は上記構造に限らず、他の構造であってもよい。図４（ａ）、（ｂ）に逃がし弁の他の構造を示す。
図４（ａ）に示した逃がし弁５０は、前述した逃がし弁２５とは支持体の構造が異なるものであり、一端を回動可能に支持されたＬ字状のアーム５１の他端に前記と同様の弁体５２を取り付け、当該アーム５１を引っ張りスプリング５３によって弁座５４方向に引っ張るように構成したものである。アーム５１には小径のポスト５５が設けられており、当該ポスト５５に前述と同様に回転体２７に設けた小突起３１が当接して、一時的に弁座５４から弁体５２を引き離し導管路５６から空気を放出させるようになっている。図４（ａ）左図は逃がし弁５０を閉じた状態、図４（ａ）右図は逃がし弁５０を開いて空気を放出する状態を示している。
また、図４（ｂ）に示した逃がし弁６０は、前述した逃がし弁２５とは支持体の構造が異なるものであり、一端を回動可能に支持された弾性を有する棒状のアーム６１の他端に前記と同様の弁体６２を取り付け、当該アーム６１を弾性によって弁座６４方向に押しつけるように構成したものである。アーム６１には小径のポスト６５が設けられており、当該ポスト６５に前述と同様に回転体２７に設けた小突起３１が当接して、一時的に弁座６４から弁体６２を引き離し導管路６６から空気を放出させるようになっている。図４（ｂ）左図は逃がし弁６０を閉じた状態、図４（ｂ）右図は逃がし弁６０を開いて空気を放出する状態を示している。
【００１９】
以上、玩具装置３ａの構造を中心に説明したが、当該玩具装置３ａと対になって対戦玩具を構成する玩具装置３ｂもほぼ玩具装置３ａと同一の構造に形成されている。玩具装置３ｂは、供給手段の一部を構成する操作手段７ｂ、排出手段の一部を構成する操作手段９ｂ、蓄積手段としての風船１１ｂ、風船１１ｂを収容する収容体１３ｂ、玩具装置３ａの風船１１ａを膨らませるための空気ポンプ１５ｂ、風船１１ｂの膨張を妨げる空気逃がし
弁（逃がし弁）２５ｂ、当該逃がし弁２５ｂを動作させる回転体２７ｂ、当該回転体２７ｂに設けられた摘み２９ｂおよび小突起３１ｂ、前記逃がし弁２５ｂを構成する支持体３３ｂ、弁座３７ｂ、弁体３９ｂおよび弁座３７ｂが設けられた導管路３５ｂを有している。当該各構成要素の構造および作用は、玩具装置３ａの同一番号を付した各構成要素と同一であるので、詳細な説明は省略する。
【００２０】
以上説明した玩具装置３ａおよび玩具装置３ｂによって構成される対戦玩具１は、以下に述べる作用を有する。一例として、対戦玩具１は２人の遊戯者がそれぞれ玩具装置３ａと玩具装置３ｂを操作して、何れが勝ちかを決するあそびに使用することが出来る。
一方の遊戯者は、右手で操作手段７ａを連続的に押圧し、同時に左手で操作手段９ａを回転させる。当該操作が行われると、操作手段７ａによって空気ポンプ１５ａが押圧され、連結部材５ａを介して空気を相手の玩具装置３ｂに送り、玩具装置３ｂの風船１１ｂを膨らませる。一方、対戦相手となる他の遊戯者も、右手で操作手段７ｂを連続的に押圧し、同時に左手で操作手段９ｂを回転させる。当該操作が行われると、操作手段７ｂによって空気ポンプ１５ｂが押圧され、連結部材５ｂを介して空気が相手の玩具装置３ａに送られて玩具装置３ａの風船１１ａが膨む。
上記のように、お互いが操作手段７を操作することで自機の風船１１が膨らむが、当該風船１１の膨張を操作手段９の操作によって防ぐようになっている。すなわち、連結部材５と風船１１の間に介在する導管路３５に設けた逃がし弁２５を動作させ、相手の玩具装置から送られた空気を排出して風船の膨張を防止するようになっている。
【００２１】
上記のように、互いに操作手段７を右手で操作して相手機の風船１１を膨らませ、左手で操作手段９を操作しながら風船の膨張を防止するという操作が行われる。そして、互いの攻防の末に、風船の膨張を防ぎきれなかった側の風船がヤスリの作用により破裂し、勝敗が決定されるようになっている。
幼児や比較的低年齢の小児にとって、右手と左手を同時にバランスよく操作するというのは非常に難しいものである。本願発明に係る玩具装置および当該玩具装置を用いた対戦玩具は、対戦による適度な緊張感を与えることによって子供の集中力を高めつつ、風船の膨張の様子に注意しつつ右手と左手の同時操作を行わせることができる。すなわち、本願発明に係る玩具装置および当該玩具装置は、視覚によって得られた情報に応じた出力を両手の運動として行わせるようになっており、脳の活性化を促すことができるという効果を有している。
【００２２】
次に、図６を用いて、前述した玩具装置３の他の実施例について説明する。本実施例は、玩具装置３を２台使用するものではなく、一台のみを用いて前述の対戦玩具１と同様に遊ぶものである。
玩具装置３を構成する各構成要素は前述の通りであるが、本実施例では２台の玩具装置３を接続していた連結部材５を１本だけ使用し、操作手段７によって送出された空気によって同じ玩具装置の風船１１を膨らませるように、連結部材５の端部６を風船１１につながる導管路３５の途中に設けたジョイント４１に接続したものである。ジョイント４１は、空気パイプである連結部材５の端部６を着脱可能に接続できるように構成したものであり、空圧機器用の継ぎ手を用いる他、単に孔にパイプの端部を差し込んで係止するようにしたものでもよい。
当該構成の玩具装置３は、操作手段７の押圧を繰り返すとポンプ１５の働きにより空気を送り出し、当該空気を連結部材５を介して自機の風船１１を膨らませるようになっている。そして、当該風船１１に送られる空気を操作手段９を操作することによって、大気に放出させるようになっている。すなわち、右手で風船１１を膨らませるための動作を行いつつ、左手で当該風船の膨張を防ぐ動作をする玩具を構成することが出来る。
前述したように、幼児や比較的低年齢の小児にとって、右手と左手を同時にバランスよく操作するというのは非常に難しいものである。当該動作を風船が破裂するかもしれない
という緊張感のもと、使用者の意識を視覚による情報認識と両手の運動としての出力に集中させることができ、脳を活性化させることができるという効果を有している。
【００２３】
以上説明した玩具装置および対戦玩具装置は、蓄積手段の一例である風船を、操作手段の操作によって膨らまし合い、自分の風船が膨らまないように排出手段を操作して空気を排出するように構成したものである。しかし、本願発明に係る玩具装置および対戦玩具装置は、当該風船を割るように構成した装置に限らず他の構造を備えたものでもよい。
例えば、蓄積手段を、風船の代わりに蓄積した空気量の増減（変動）を視覚的に表すメーターとしたり、空気量に応じて傾くように構成したシーソー等としてを用いてもよい。すなわち、蓄積手段をとして、蓄積した空気の量若しくは対戦者のどちらが優勢であるか否かを視覚的に表す視覚表示手段を用いることにより、風船を使用しなくとも同一の面白さや知育効果を有した玩具を提供することができる。
また、前記供給手段よび排出手段に相当する手段として、操作回数、回転数、強度等を電気的パルス若しくは電圧変動等によって検知し、当該検知結果に基づく両玩具装置の状態を液晶表示装置、複数のＬＥＤを一列に配置したメーター等による視覚表示手段に表示させるようにしてもよい。
【図面の簡単な説明】
【００２４】
【図１】本願発明に係る対戦玩具の外観斜視図である。
【図２】本願発明に係る対戦玩具の説明図である。
【図３】本願発明に係る玩具装置に用いる排出手段の説明図である。
【図４】本願発明に係る玩具装置に用いる排出手段の他の例を説明するための説明図である。
【図５】本願発明に係る玩具装置の作用の一つを説明するための説明図である。
【図６】本願発明に係る玩具装置の使用例を説明するための説明図である。
【符号の説明】
【００２５】
１    対戦玩具
３（３ａ、３ｂ）  玩具装置
５（５ａ、５ｂ）  連結部材
７（７ａ、７ｂ）  操作手段
９（９ａ、９ｂ）  操作手段
１１（１１ａ、１１ｂ）  蓄積手段（風船）
１３（１３ａ、１３ｂ）  収容体
１５（１５ａ、１５ｂ）  空気ポンプ
１６  下半体
１７  上半体
２１  空気吹込口
２３  ヤスリ
２５（２５ａ、２５ｂ）  空気逃がし弁（逃がし弁）
２７（２７ａ、２７ｂ）  回転体
２９（２９ａ、２９ｂ）  摘み
３１（３１ａ、３１ｂ）  小突起
３３（３３ａ、３３ｂ）  支持体
３５（３５ａ、３５ｂ）  導管路
３７（３７ａ、３７ｂ）  弁座
３９（３９ａ、３９ｂ）  弁体
４１  ジョイント
５０  逃がし弁
５１  アーム
５２  弁体
５３  引っ張りスプリング
５４  弁座
５５  ポスト
５６  導管路
６０  逃がし弁
６１  アーム
６２  弁体
６４  弁座
６５  ポスト
６６  導管路
【図２】
2005318959.tif 000003
【図３】
2005318959.tif 000004
【図４】
2005318959.tif 000005
【図５】
2005318959.tif 000006
【図６】
2005318959.tif 000007
【図１】
2005318959.tif 000008